(57)【要約】【課題】複数のトナー搬送部材を駆動させることにより紛体搬送装置の小型化及び部品点数の削減を実現し、かつ、トナー搬送経路や駆動受け部においてトナー詰まりを起こしにくいトナー搬送装置、及びこれを備えたクリーニング装置、画像形成装置を提供する。【解決手段】回転することによりトナーを回転軸方向に搬送するトナー搬送スクリュー３６と、トナー搬送スクリュー３６から回転力を受ける駆動受け部５０を有し、回転することによりトナーを回転軸方向に搬送するトナー排出スクリュー３７と、を有し、この駆動受け部５０は、回転するトナー搬送スクリュー３６と係合して回転力を受け、かつ、回転によりトナーをトナー排出スクリュー３７の回転軸方向に搬送する搬送力を生じさせる。【選択図】図４
2016065917.tif 000002
【特許請求の範囲】
【請求項１】
回転することによりトナーを回転軸方向に搬送する第１トナー搬送部材と、
前記第１トナー搬送部材から回転力を受ける駆動受け部を有し、回転することによりトナーを回転軸方向に搬送する第２トナー搬送部材と、
を有し、
前記駆動受け部は、回転する前記第１トナー搬送部材と係合して回転力を受け、かつ、回転によりトナーを前記第２トナー搬送部材の回転軸方向に搬送する搬送力を生じさせることを特徴とするトナー搬送装置。
【請求項２】
前記駆動受け部は、前記第２トナー搬送部材の回転軸の円周方向に所定間隔で設けられた複数の板状部材であり、前記複数の板状部材がトナーを前記回転軸方向に搬送力を生じさせる斜面形状であることを特徴とする請求項１記載のトナー搬送装置。
【請求項３】
前記第１トナー搬送部材は、トナーを搬送するための螺旋状のスクリュー部を有し、前記スクリュー部が前記駆動受け部と係合することを特徴とする請求項１又は請求項２に記載のトナー搬送装置。
【請求項４】
前記スクリュー部と前記駆動受け部は点接触、又は線接触により係合することを特徴とする請求項３記載のトナー搬送装置。
【請求項５】
前記第２トナー搬送部材は、トナーを搬送するための螺旋状のスクリュー部を有し、前記スクリュー部は前記駆動受け部の板状部材の１つと連続していることを特徴とする請求項１乃至請求項４のいずれか１項に記載のトナー搬送装置。
【請求項６】
前記第２トナー搬送部材は、前記第１トナー搬送部材の鉛直方向下方に配置されていることを特徴とする請求項１乃至請求項５のいずれか１項に記載のトナー搬送装置。
【請求項７】
前記第１トナー搬送部材は、前記駆動受け部と係合して回転力を伝達する駆動伝達部を有し、前記駆動伝達部は回転によりトナーを前記第１トナー搬送部材の回転軸方向に搬送する搬送力を生じさせることを特徴とする請求項１乃至請求項６のいずれか１項に記載のトナー搬送装置。
【請求項８】
前記駆動伝達部は、前記第１トナー搬送部材の回転軸の円周方向に所定間隔で設けられた複数の板状部材であり、前記複数の板状部材がトナーを前記回転軸方向に搬送力を生じさせる斜面形状であることを特徴とする請求項７記載のトナー搬送装置。
【請求項９】
前記第１トナー搬送部材は、トナーを搬送するための螺旋状のスクリュー部を有し、前記スクリュー部は前記駆動伝達部の板状部材の１つと連続していることを特徴とする請求項８記載のトナー搬送装置。
【請求項１０】
前記第１トナー搬送部材と前記第２トナー搬送部材とは、同形状であることを特徴とする請求項８又は請求項９に記載のトナー搬送装置。
【請求項１１】
前記駆動伝達部の板状部材の個数が、前記駆動受け部の板状部材の個数より多いことを特徴とする請求項８又は請求項９に記載のトナー搬送装置。
【請求項１２】
前記第１トナー搬送部材は、回転軸の一方側の端部に回転力を受ける駆動受け手段を有し、前記駆動受け部は前記第１トナー搬送部材の回転軸の他方側の端部よりも、前記一方側の端部の近傍に配置されていること、を特徴とする請求項８乃至請求項１１のいずれか１項に記載のトナー搬送装置。
【請求項１３】
像担持体に形成したトナー像を記録媒体に転写し、転写後に前記像担持体に残留したトナーをクリーニングするクリーニング装置において、
前記クリーニングしたトナーを搬送するトナー搬送装置として、請求項１乃至請求項１２のいずれか１項に記載のトナー搬送装置を備えたことを特徴とするクリーニング装置。
【請求項１４】
像担持体に形成したトナー像を記録媒体に転写し、転写後に前記像担持体に残留したトナーをクリーニング装置によりクリーニングする画像形成装置において、
前記クリーニング装置として、請求項１３記載のクリーニング装置を備えたことを特徴とする画像形成装置。
【発明の詳細な説明】
【技術分野】
【０００１】
本発明は、画像形成装置内のトナー等の紛体を搬送するトナー搬送装置、このトナー搬送装置を備えたクリーニング装置及びこれらを備えた画像形成装置に関するものである。
【０００２】
ここで、画像形成装置とは、例えば電子写真画像形成方式を用いて記録媒体に画像を形成する電子写真複写機、電子写真プリンタ（例えばレーザービームプリンタ、ＬＥＤプリンタ等）、ファクシミリ装置等をいう。
【背景技術】
【０００３】
カラー画像形成装置は、複数の感光体ドラムを並置し、それぞれの感光体ドラムに形成したトナー像を中間転写ベルトに順次一次転写し、このトナー像を記録媒体に二次転写してカラー画像を形成する。このような中間転写ベルトを用いる画像形成装置にあっては、中間転写ベルトに残留するトナー等の紛体をトナー回収容器へと搬送して回収するクリーニング装置を備えている。このクリーニング装置内でトナーを搬送するトナー搬送装置として、プラスチック製のスクリューや金属製のコイルバネ等からなるトナー搬送部材を設けることがある。このトナー搬送部材が回転することにより、トナー搬送部材に螺旋状に設けられたブレード歯面が移動しながらトナーを押し出すことでトナー回収容器側へトナーが搬送される。
【０００４】
このトナー搬送部材はクリーニング装置内に複数設けられる場合がある。この場合、装置の小型化や部品点数の削減などを考えると、トナー搬送方向下流側に配置されたトナー搬送部材をトナー搬送方向上流側に配置されたトナー搬送部材に直接接続して駆動力を伝達するといった方法を採ることが考えられる。但し、この駆動伝達にギアを用いるとトナーによる目詰まりが発生するおそれがある。そこで、パドル状部材により駆動を伝達するものが提案されている。例えば特許文献１や特許文献２では、トナー搬送方向下流側のトナー搬送部材の回転軸の円周方向にパドル状部材が設けられている。そして、このパドル状部材に対して、駆動源から駆動を受けて回転するトナー搬送方向上流側のトナー搬送部材表面の螺旋状のブレード歯面が係合することにより駆動が伝達される。
【先行技術文献】
【特許文献】
【０００５】
【特許文献１】特開２００６−１３３４６５
【特許文献２】特開２００７−２８６３７１
【発明の概要】
【発明が解決しようとする課題】
【０００６】
しかし、上記の様なトナー搬送装置においては、駆動受け羽根自体はトナーの搬送力を生じさせないため、駆動受け部にトナーが堆積してトナー詰まりを起こす可能性があった。またトナー搬送装置により搬送される紛体はトナー単体だけでなくシートの紙粉等も含まれるが、トナー搬送路上にトナーの搬送力が無い空間があるとその空間にシートの紙繊維が複雑に絡んで不織布状の物体となり、徐々に堆積されていく。この不織布状の物体が次第にトナー搬送路全域を塞ぎ始めると、最終的にはトナー詰まりを発生させる可能性があった。また、極薄紙のような今まで通紙対応していなかった様々な物性の転写材に対応していくためには、トナーの流動性、つまり紙粉の種類や量に関わらず当該箇所でのトナー詰まりを発生させない技術開発が非常に重要となっている。そのため、紙粉等の不要物を含む転写残トナーを搬送するトナー搬送路上では、トナーが堆積し詰まりを起こさないように常にトナーが搬送される構成をとることが望ましい。
【０００７】
そこで本発明の目的は、複数のトナー搬送部材に駆動力を伝達するに際し、装置の小型化及び部品点数の削減を実現し、かつ、トナー搬送経路や駆動受け部においてトナー詰まりを起こしにくいトナー搬送装置を提供することである。また、このトナー搬送装置を備えたクリーニング装置、画像形成装置を提供することである。
【課題を解決するための手段】
【０００８】
この目的を達成するために、本発明のトナー搬送装置は、回転することによりトナーを回転軸方向に搬送する第１トナー搬送部材と、前記第１トナー搬送部材から回転力を受ける駆動受け部を有し、回転することによりトナーを回転軸方向に搬送する第２トナー搬送部材と、を有し、前記駆動受け部は、回転する前記第１トナー搬送部材と係合して回転力を受け、かつ、回転によりトナーを前記第２トナー搬送部材の回転軸方向に搬送する搬送力を生じさせること、を特徴とする。
【発明の効果】
【０００９】
本発明によれば、第１トナー搬送部材の駆動力を第２トナー搬送部材の駆動受け部で受けることで、トナー搬送装置の小型化及び部品点数の削減が実現できる。尚且つ、駆動受け部においてもトナーの搬送力が生じるため、駆動受け部でのトナー詰まりを防止することができる。またこれにより、目詰まりが生じ易く通紙対応していなかった様々な物性のシートに対応していくことができる。
【図面の簡単な説明】
【００１０】
【図１】本発明の第１実施形態に係る画像形成装置の断面概略図である。
【図２】本発明の第１実施形態に係るクリーニング装置の構成斜視図である。
【図３】本発明の第１実施形態に係るクリーニング装置の構成断面図である。
【図４】本発明の第１実施形態に係るトナー搬送部材の構成を説明する図である。
【図５】本発明の第１実施形態に係るトナー搬送部材の動作を説明する模式図である。
【図６】本発明の第２実施形態に係るトナー搬送部材の構成を説明する図である。
【図７】本発明の第２実施形態に係るトナー搬送部材の動作を説明する模式図である。
【図８】本発明の第２実施形態の変形例に係るトナー搬送部材の構成を説明する図である。
【図９】本発明の第２実施形態の変形例に係るトナー搬送部材の動作を説明する模式図である。
【発明を実施するための形態】
【００１１】
以下、図面を参照して本発明の第１実施形態に係るトナー搬送装置を搭載した画像形成装置の構成及び画像形成動作について説明し、次にトナー搬送装置について説明する。
【００１２】
（第１実施形態）
＜画像形成装置＞
図１に示す様に、画像形成装置１は記録媒体であるシートにトナー像を転写する画像形成部と、画像形成部へシートを供給するシート給送部と、シートにトナー像を定着させる定着部と、を備えている。
【００１３】
画像形成部は、画像形成装置１本体に対して着脱可能なプロセスカートリッジ４、中間転写ユニット１０、レーザスキャナユニット９を備えている。プロセスカートリッジ４は、イエロー、マゼンダ、シアン、ブラックの各色毎に対応するプロセスカートリッジ４ｙ、４ｍ、４ｃ、４ｋが一列に並列している。また、各プロセスカートリッジ４は像担持体である感光体ドラム５（５ｙ、５ｍ、５ｃ、５ｋ）、帯電ローラ６（６ｙ、６ｍ、６ｃ、６ｋ）、現像ローラ７（７ｙ、７ｍ、７ｃ、７ｋ）、ドラムクリーニング部材８（８ｙ、８ｍ、８ｃ、８ｋ）等を備えている。
【００１４】
中間転写ユニット１０は、一次転写ローラ１７（１７ｙ、１７ｍ、１７ｃ、１７ｋ）、中間転写ベルト１１、駆動ローラ１２、テンションローラ１３、二次転写対向ローラ１４ａ、クリーニング装置３０を備えている。中間転写ベルト１１は無端円筒状ベルトであり、駆動ローラ１２、テンションローラ１３、二次転写対向ローラ１４ａによって張架されている。
【００１５】
画像形成に際しては、制御部（不図示）がプリント信号を発すると、給送ローラ３によってシート積載部２に積載収納されたシートが画像形成部に送り出される。
【００１６】
一方、感光体ドラム５は帯電ローラ６によって表面を帯電させられる。そして、レーザスキャナユニット９が、内部に備える不図示の光源からレーザ光を出射し、レーザ光を感光体ドラム５上に照射する。これにより感光体ドラム５の表面上に静電潜像が形成される。この静電潜像を現像ローラ７によって現像することにより感光体ドラム５上にトナー像が形成される。各プロセスカートリッジ４の感光体ドラム５上に形成されたトナー像は、中間転写ベルト１１にそれぞれ一次転写される。中間転写ベルト１１は駆動ローラ１２がモータ（不図示）などの駆動源から回転力を受けることにより矢印Ａの方向に回転する。一次転写されたトナー像は、中間転写ベルト１１の回転により回転方向下流にある二次転写対向ローラ１４ａと二次転写ローラ１４ｂとで形成される二次転写部に到達し、ここでトナー像がシートに転写される。
【００１７】
トナー像が転写されたシートは、定着器１５に送られ、加熱、加圧されてトナー像がシートに定着された後、排出ローラ１６によって搬送されて排出部に排出される。
【００１８】
＜クリーニング装置＞
次に、本実施形態にかかるトナー搬送装置を備えるクリーニング装置３０について説明する。クリーニング装置３０は、トナー像の転写後に中間転写ベルト１１上に残留したトナー等の紛体（以下、残留トナーという）を除去する役割を果たす。
【００１９】
図２、図３に示す様に、クリーニング装置３０はクリーニング容器３１、トップカバー３２、中間転写ベルトをクリーニングするためのクリーニングブレード３３、ブレード保持板金３４、トナー搬送壁３５を有する。また、トナー搬送装置としてのトナー搬送スクリュー３６（第１トナー搬送部材）及びトナー排出スクリュー３７（第２トナー搬送部材）、トナー排出口３８、シャッタ３９、トナー回収容器４０を有する。
【００２０】
このクリーニング装置３０は、残留トナー除去のために一次転写部よりも中間転写ベルト１１の回転方向上流で、かつ、二次転写部よりも回転方向下流に設けられている。また、クリーニング容器３１内にはブレード保持板金３４、トナー搬送壁３５、トップカバー３２とで形成されるトナー搬送路が設けられ、ここにトナー搬送装置であるトナー搬送スクリュー３６及びトナー排出スクリュー３７が備えられている。
【００２１】
残留トナーの除去に際しては、まず二次転写部を通過した中間転写ベルト１１はその後回転を続けてクリーニングブレード３３付近に到達する。ここで残留トナーが変形可能な弾性ゴムからなるクリーニングブレード３３により掻き取られる。このクリーニングブレード３３は、クリーニング容器３１内でブレード保持板金３４に接着され、中間転写ベルト１１の回転方向と直交する長手方向において画像形成を可能な最大サイズ以上の幅をもって中間転写ベルト１１と当接するように設けられている。一方、中間転写ベルト１１は残留トナーを除去するための線圧を得るためにテンションローラ１３によってクリーニングブレード３３に押圧されている。
【００２２】
次に、残留トナーはクリーニングブレード３３上やブレード保持板金３４の上方に堆積し、次第にトナー搬送スクリュー３６へと接触し始める。
【００２３】
このトナー搬送スクリュー３６はその中心に回転軸３６ｋを備え、表面には回転軸３６ｋ方向にトナーを搬送するように螺旋状に設けられたスクリュー部としての第１ブレード歯面３６ｇを備えている。また、トナー搬送スクリュー３６はクリーニングブレード３３の長手方向と平行な方向に設けられ、クリーニング容器３１にその両端を回転可能に保持されている。そして、トナー搬送スクリュー３６の回転軸３６ｋの端部に設けられた不図示の駆動ギア（駆動受け手段）によってモータ等の駆動源（不図示）から回転力を受け、図３の矢印Ｂ方向に回転する。
【００２４】
トナー搬送スクリュー３６に接触した残留トナーは、トナー搬送スクリュー３６の回転に伴い移動する第１ブレード歯面３６ｇによって回転軸方向に搬送される。そして、トナー搬送方向下流に設けられたトナー排出スクリュー３７の先端方向（矢印Ｘ方向）に押し出される形で搬送され、トナー排出スクリュー３７と接触し始める。
【００２５】
トナー排出スクリュー３７は回転軸３７ｋを備え、表面には回転軸３７ｋ方向にトナーを搬送するように螺旋状に設けられたスクリュー部としての第２ブレード歯面３７ｇを有する。また、残留トナーの搬送に重力を利用するため、トナー排出スクリュー３７をトナー搬送スクリュー３６の鉛直方向下方に設けて残留トナーの搬送効率を向上させている。また、装置の小型化のためにトナー搬送スクリュー３６と略直交する方向に設けられている。さらにトナー排出スクリュー３７は、トナー搬送スクリュー３６から回転力を受けるための駆動受け部５０を有し、トナー搬送スクリュー３６の回転に従動して回転する。
【００２６】
前記駆動受け部５０は、後述するようにトナー搬送スクリュー３６の長手方向の一方側端部３６ｓ（図２参照）に形成されたスクリュー部と係合して駆動力を受ける。そして、トナー搬送スクリュー３６がモータから駆動力を受ける前記駆動ギアは前記端部３６ｓ側に設けられている。すなわち、下流側のトナー排出スクリュー３７が駆動力を受ける駆動受け部５０は、上流側のトナー搬送スクリュー３６が駆動力を受ける駆動ギアの近傍に配置されている。これが、例えば駆動ギアが前記駆動受け部５０が配置されている側と反対側の他方側端部３６ｎ（図２参照）に設けられていると、モータから下流側のトナー排出スクリュー３７への駆動伝達は上流側のトナー搬送スクリュー３６の撓みの影響を受ける。これに対して、本実施形態にあっては、前述のように駆動ギアが駆動受け部５０の近傍に配置されている。このため、モータからの駆動力はトナー搬送スクリュー３６及びトナー排出スクリュー３７の撓みの影響を受けることなく下流側のトナー排出スクリュー３７へと伝達される。
【００２７】
トナー排出スクリュー３７と接触した残留トナーは、トナー排出スクリュー３７の回転に伴い移動する第２ブレード歯面３７ｇによってトナー排出スクリュー後端近傍に設けられたトナー排出口３８方向（矢印Ｙ方向）へ押し出される形で搬送される。その後、トナー排出口３８を通過してトナー回収容器４０に回収される。
【００２８】
回収されたトナーでトナー回収容器４０内が満杯になると、センサ（不図示）によってこれが検知されて画像形成装置１の操作パネルに表示されユーザに交換時期を伝える。これを受けてユーザは画像形成装置１からトナー回収容器４０を着脱して交換する。なお、トナー回収容器４０を画像形成装置１から着脱する際にトナー排出口３８が剥き出し状態であるとトナーが漏れ落ちる可能性があるため、シャッタ３９によりトナー排出口３８は閉口可能となっている。
【００２９】
＜トナー搬送装置の駆動伝達構成＞
次に、本実施形態にかかるトナー搬送装置の駆動伝達構成について図を参照して詳しく説明する。上記の通り、トナー搬送装置はクリーニングブレード３３によって中間転写ベルト１１から除去された残留トナーをトナー回収容器４０へと搬送する役割を果たす。トナー搬送装置はトナー搬送スクリュー３６とトナー排出スクリュー３７とから構成される。
【００３０】
図４に示す様に、トナー排出スクリュー３７の駆動受け部５０は、トナー搬送スクリュー３６と係合して駆動を受けるための板状部材である駆動受け羽根１００を備える。
【００３１】
この駆動受け羽根１００は４つの羽根（１００ａ、１００ｂ、１００ｃ、１００ｄ）が回転軸３７ｋの円周方向に所定間隔（本実施形態においては９０°間隔）で設けられている。また、４つの駆動受け羽根１００はそれぞれ回転軸３７ｋの軸方向にトナーの搬送力を持つように螺旋状にねじれた斜面形状をしている。また第２ブレード歯面３７ｇと駆動受け羽根の１つである駆動受け羽根１００ｃは連続した螺旋形状をなしている。
【００３２】
駆動に際しては、図５（ａ）に示す様に、まずトナー搬送スクリュー３６が駆動源（不図示）から回転力を受けて矢印Ｂ方向に回転し始めると、螺旋形状で形成された第１ブレード歯面３６ｇが矢印Ｃの方向へと移動する。
【００３３】
次に図５（ｂ）に示す様に、移動した第１ブレード歯面３６ｇは駆動受け羽根１００ａと接触する。この接触により、トナー排出スクリュー３７は回転軸３７ｋを中心として矢印Ｄ方向へ回転する回転力を受け、トナー排出スクリュー３７は矢印Ｄの方向に回転をし始める。その後、トナー搬送スクリュー３６がさらに回転すると第１ブレード歯面３６ｇは駆動受け部５０から離れる方向へと移動する。一方、駆動受け羽根１００ａはトナー排出スクリュー３７の回転に伴って矢印Ｄ方向に移動する。
【００３４】
次に図５（ｃ）に示す様に、さらにトナー搬送スクリュー３６が回転すると、第１ブレード歯面３６ｇは再び駆動受け部５０方向へ移動して今度は駆動受け羽根１００ｂと接触する。この接触により、トナー排出スクリュー３７は矢印Ｄの方向にさらに回転する。その後第１ブレード歯面３６ｇが駆動受け羽根１００ｃ、駆動受け羽根１００ｄ、そして再度駆動受け羽根１００ａへと継続的に接触する。これによりトナー排出スクリュー３７は継続的に回転する。
【００３５】
この一連の動作を継続的に繰り返すことにより、トナー搬送スクリュー３６の駆動がトナー排出スクリュー３７へと伝達されてトナー排出スクリュー３７は回転する。
【００３６】
ここで、この駆動受け羽根１００はトナー搬送スクリュー３７の回転に伴い回転軸３７ｋの方向にトナーの搬送力を生じさせるように螺旋状にねじれた斜面形状をしている。したがって、トナー搬送スクリュー３６によって搬送された残留トナーが駆動受け部５０に到達すると、残留トナーは駆動受け羽根１００によりトナー回収容器４０方向へと搬送される。
【００３７】
この構成を採ることにより、１つの駆動源から複数のトナー搬送部材であるトナー搬送スクリュー３６及びトナー排出スクリュー３７を駆動させることができ、トナー搬送装置の小型化及び部品点数の削減が実現できる。尚且つ、駆動受け部５０自体がトナーの搬送力を生じさせるため、駆動受け部５０にトナーが滞留し続けてトナーが詰まるを防止することができる。また、このトナー詰まりに起因してトナー搬送スクリュー３６とトナー排出スクリュー３７とが互いにロックされてしまうことを防止することができる。また、トナー搬送経路内で常にトナーの搬送力が生じているため、トナー搬送路内にトナーが堆積する空間がなく、シートの紙粉等からできる不織布状の物体がトナー搬送路全域を塞いでトナー搬送経路にトナーが詰まることを防止することができる。
【００３８】
また、第１ブレード歯面３６ｇ及び駆動受け羽根１００は互いに螺旋状にねじれた形状をしているためこれらは点接触又は線接触により係合する。したがって、駆動伝達の際にこれらの接触範囲が狭いため、残留トナーの搬送時に駆動受け部５０でトナー詰まりが生じにくいという効果がある。
【００３９】
また、第２ブレード歯面３７ｇと駆動受け羽根の１つである駆動受け羽根１００ｃは連続した螺旋形状をなしている。したがって、駆動受け部５０においてトナー回収容器４０方向へのトナーの搬送をよりスムーズに行うことができる。なお、連続していない場合であっても駆動受け羽根１００はトナーの搬送力を生じさせることができる。
【００４０】
さらに、第１ブレード歯面３６ｇのピッチ間隔を広くし、駆動受け羽根１００の各羽根同士の隙間を広く確保することにより、残留トナーが搬送されてきた際に目詰まりを起こしにくくすることができる。
【００４１】
（第２実施形態）
次に本発明に係るトナー搬送装置の第２実施形態について図を用いて説明する。上記第１実施形態と説明の重複する部分については、同一の符号を付して説明を省略する。
【００４２】
本実施形態に係るトナー搬送装置においては、図６に示す様に、トナー搬送スクリュー３６は駆動伝達部６０を有し、この駆動伝達部６０は板状部材である駆動伝達羽根２００を備える。そして、この駆動伝達羽根２００とトナー排出スクリュー３７の備える駆動受け羽根１００とが係合することにより、トナー搬送スクリュー３６からトナー排出スクリュー３７へ駆動が伝達される。
【００４３】
この構成により、下記に説明する通りトナー搬送スクリュー３６からトナー排出スクリュー３７への駆動伝達の効率をより向上することができる。
【００４４】
図６に示す様に、本実施形態に係るトナー搬送スクリュー３６はトナー搬送方向下流側の駆動伝達部６０に駆動伝達羽根２００を備えている。この駆動伝達羽根２００は４枚の羽根（２００ａ、２００ｂ、２００ｃ、２００ｄ）が回転軸３６ｋの円周方向に所定間隔（本実施形態においては９０°間隔）で設けられている。また、駆動伝達羽根２００はそれぞれ回転軸３６ｋの方向にトナーの搬送力を持つように螺旋状にねじれた斜面形状をしている。また、第１ブレード歯面３６ｇと駆動伝達羽根の１つである駆動伝達羽根２００ｃとは連続した螺旋形状をなしている。
【００４５】
駆動に際しては、図７（ａ）に示す様に、まずトナー搬送スクリュー３６が駆動源から回転力を受けて回転し始めると、駆動伝達羽根２００ａが矢印Ｅの方向へと移動する。
【００４６】
次に図７（ｂ）に示す様に、移動した駆動伝達羽根２００ａは駆動受け羽根１００ａと接触する。この接触によりトナー排出スクリュー３７は回転軸３７ｋを中心として矢印Ｄ方向へ回転する回転力が伝達されて矢印Ｄ方向へと回転を始める。その後トナー搬送スクリュー３６がさらに回転すると、駆動伝達羽根２００ａは駆動受け羽根１００ａから離れる。一方、駆動受け羽根１００ａはトナー排出スクリュー３７の回転に伴って矢印Ｄ方向に移動する。
【００４７】
次に図７（ｃ）に示す様に、トナー搬送スクリュー３６の回転に伴い移動してきた駆動伝達羽根２００ｂが、今度は駆動受け羽根１００ｂと接触する。その後駆動伝達羽根２００ｃが駆動受け羽根１００ｃと、駆動伝達羽根２００ｄが駆動受け羽根１００ｄとそれぞれ継続的に接触する。これによりトナー排出スクリュー３７は１回転する。
【００４８】
その後再度駆動伝達羽根２００ａが駆動受け羽根１００ａに接触し、この一連の動作が継続的に繰り返される。これによりトナー搬送スクリュー３６の駆動がトナー排出スクリュー３７へと伝達され、トナー排出スクリュー３７は回転する。
【００４９】
上記構成によれば、トナー搬送スクリュー３６が１回転する毎にトナー排出スクリュー３７も１回転することになる。したがって、トナー搬送スクリュー３６からトナー排出スクリュー３７への駆動の伝達効率を第１実施形態よりも向上することができる。また、トナー搬送スクリュー３６とトナー排出スクリュー３７は同等の回転数を保ちながら回転することになるため、トナー搬送経路内でトナーの搬送速度を低減することなくトナーの搬送を行うことができる。また、トナー排出スクリュー３７の回転速度の制御も容易に行うことができる。
【００５０】
また、第１ブレード歯面３６ｇと駆動伝達羽根の１つである駆動伝達羽根２００ｃは連続した螺旋形状をなしている。したがって、駆動伝達部６０におけるトナーの搬送をスムーズに行うことができる。
【００５１】
さらに、本実施形態に係るトナー搬送スクリュー３６とトナー排出スクリュー３７とは同形状であるため、これらの量産が容易となる。
【００５２】
なお、本実施形態においてトナー搬送スクリュー３６に備えられた駆動伝達羽根２００は螺旋状にねじれた斜面形状のものとして説明したが、駆動伝達羽根２００は平坦なパドル形状の羽根であっても上記した駆動の伝達効率を向上する効果を得ることができる。またパドル形状の羽根であっても、トナー搬送スクリュー３６とトナー排出スクリュー３７とが同等の回転数を保ちながら回転し、トナー搬送経路内でトナーの搬送速度を低減することなくトナーの搬送を行うことができる。
【００５３】
次に、本実施形態の変形例として、駆動伝達羽根２００の個数を駆動受け羽根１００の個数より多く備えるトナー搬送装置の構成を説明する。
【００５４】
図８に示す様に、トナー搬送スクリュー３６は駆動伝達羽根２００を５つ備え、トナー排出スクリュー３７には駆動受け羽根１００を４つ備える。なお、駆動伝達羽根２００は回転軸３６ｋの円周方向に７２°の間隔で設けられている。
【００５５】
駆動に際しては、図９（ａ）に示す様に、まずトナー搬送スクリュー３６が駆動源から駆動力を受けて回転し始めると、駆動伝達羽根２００ａが矢印Ｅの方向へと移動する。次に図９（ｂ）に示す様に、移動した駆動伝達羽根２００ａは駆動受け羽根１００ａと接触し、トナー排出スクリュー３７は矢印Ｄ方向へと回転を始める。次に図９（ｃ）に示す様に、トナー搬送スクリュー３６の回転に伴い移動してきた駆動伝達羽根２００ｂが、駆動受け羽根１００ｂと接触する。その後駆動伝達羽根２００ｃが駆動受け羽根１００ｃと、駆動伝達羽根２００ｄが駆動受け羽根１００ｄとそれぞれ断続的に接触する。これによりトナー排出スクリュー３７は一回転する。
【００５６】
その後さらにトナー搬送スクリュー３６が回転すると、今度は駆動伝達羽根２００ｅと駆動受け羽根１００ａが、続いて駆動伝達羽根２００ａと駆動受け羽根１００ｂが接触する。この時点においてトナー搬送スクリュー３６が一回転目を終える。
【００５７】
すなわち、トナー搬送スクリュー３６が１回転する時点において、トナー排出スクリュー３７は１．２回転する。したがって、駆動源からトナー搬送スクリュー３６に回転力が伝達された際に、トナー排出スクリュー３７の回転数はトナー搬送スクリュー３６の回転数より大きくなる。したがって、トナー排出スクリュー３７のトナーの搬送力をトナー搬送スクリュー３６よりも大きくすることができる。
【００５８】
ここで、トナー詰まりを防止する観点から、トナー搬送方向下流側の搬送力をトナー搬送方向上流側の搬送力に対して大きくする方が好ましい。よって、この変形例の構成を採ることで、トナー搬送方向下流側に設置されたトナー排出スクリュー３７の搬送力がトナー搬送方向上流側に設置されたトナー搬送スクリュー３６よりも大きくなるため、トナー詰まりを防止する効果をより向上させることができる。
【００５９】
なお、駆動伝達羽根２００の個数と駆動受け羽根１００の個数を任意に変えることにより、トナー排出スクリュー３７のトナーの搬送量を調節することも可能である。
【００６０】
また、上記した第１実施形態及び第２実施形態においては中間転写ベルト１１上の残留トナーを除去して回収するクリーニング装置３０に備えられるトナー搬送装置について説明した。しかし、例えばトナー供給ユニットなどトナーを搬送する他のユニットにおいても同様の構成を採ることにより、同様の効果を得ることができる。
【符号の説明】
【００６１】
１…画像形成装置
２…シート積載部
３…給送ローラ
４…プロセスカートリッジ
５…感光体ドラム
６…帯電ローラ
７…現像ローラ
８…ドラムクリーニング部材
９…レーザスキャナユニット
１０…中間転写ユニット
１１…中間転写ベルト
１２…駆動ローラ
１３…テンションローラ
１４ａ…二次転写対向ローラ
１４ｂ…二次転写ローラ
１５…定着器
１６…排出ローラ
１７…一次転写ローラ
３０…クリーニング装置
３１…クリーニング容器
３２…トップカバー
３３…クリーニングブレード
３４…ブレード保持板金
３５…トナー搬送壁
３６…トナー搬送スクリュー
３６ｇ…第１ブレード歯面
３６ｋ…回転軸
３７…トナー排出スクリュー
３７ｇ…第２ブレード歯面
３７ｋ…回転軸
３８…トナー排出口
３９…シャッタ
４０…トナー回収容器
５０…駆動受け部
６０…駆動伝達部
１００…駆動受け羽根
２００…駆動伝達羽根
【図１】
2016065917.tif 000003
【図２】
2016065917.tif 000004
【図３】
2016065917.tif 000005
【図４】
2016065917.tif 000006
【図５】
2016065917.tif 000007
【図６】
2016065917.tif 000008
【図７】
2016065917.tif 000009
【図８】
2016065917.tif 000010
【図９】
2016065917.tif 000011